(57)【特許請求の範囲】
【請求項１】
パネル面の上部に複数の回転操作ノブが並列して配設され、パネル面の下部に左右にスライド操作するスライド操作ノブが配設されたスライド凹部が設けられている自動車の操作パネルにおいて、回転操作ノブの周囲及びスライド凹部の上部に設けられた表示部を照明する光源を背部に配設し、各操作位置に位置させたスライド操作ノブの上端面先端部を斜め上方からスライド凹部の外方に向かって照明するように、スライド凹部の上壁に照明開口を形成するとともに光源の配設位置を位置決めし、かつスライド操作ノブの先端部の上面を、反射光が斜め下方に向かうように先端に向けて下方に傾斜した面にて構成するとともに、スライド操作ノブの先端部をスライド凹部より突出させ、照明開口を通った光はスライド凹部の下壁に当たらないようにしたことを特徴とする自動車の操作パネルの照明装置。
【発明の詳細な説明】
【０００１】
【発明の属する技術分野】
本発明は自動車のインストルメントパネルに配設される空調操作パネルなどの操作パネルの照明装置に関するものである。
【０００２】
【従来の技術】
従来、自動車のインストルメントパネルに配設される操作パネル、例えば空調操作パネル１として、図４（ａ）に示すように、温度設定を行う温度設定回転操作ノブ４と、ファンのオンオフ及び送風強度を設定するファン制御回転操作ノブ５と、エアの吹き出し位置の設定を行う送風モード設定回転操作ノブ６をパネル面の上部に並列して配設し、取り入れエアの内外気の選択を行うスライド操作ノブ７が配設されたスライド凹部１７をパネル面の下部の中央部に配設し、パネル面の各回転操作ノブ４〜６の周囲とスライド凹部１７の上部にそれぞれの表示部４ａ〜７ａを設けたものが知られている。８はパネル面の下部一側部に配設されたエアコンスイッチである。
【０００３】
この種の操作パネルにおける表示部４ａ〜７ａの照明装置として、回転操作ノブ４〜６及びスライド操作ノブ７の表示部４ａ〜７ａに対しては回転操作ノブ４、５間、及び５、６間の背部に配設した光源１３からの光で照明したものが知られている。
【０００４】
しかし、その場合表示部は照明されるが、スライド操作ノブ７自体は照明されていないので、夜間時にどの操作位置に位置しているのかが分からないという問題がある。
【０００５】
そこで、スライド操作ノブに夜間照明機能を持たせる手段として、図４（ｂ）、（ｃ）に示すように、透明樹脂からなる光伝達ロッド部材２７を操作ノブ７に埋め込み、その一端２７ａを操作ノブ７の先端面に臨ませるとともに、他端側をパネル面の背部に延出し、他端部に光源１３に向けて傾斜させた光導入面２７ｂを形成したものが知られている。このような手段は、例えば実開昭５４−６１９５３号公報や実公昭５９−２２５５７号公報等に開示されている。
【０００６】
【発明が解決しようとする課題】
ところが、上記構成ではスライド操作ノブ７に光伝達ロッド部材２７を装着するために、コスト高となるという問題があった。
【０００７】
本発明は、上記従来の問題点に鑑み、スライド操作ノブが照明されてその操作位置を認識でき、かつ構成が簡単で低コストにて構成できる自動車の操作パネルの照明装置を提供することを目的とする。
【０００８】
【課題を解決するための手段】
本発明の自動車の操作パネルの照明装置は、パネル面の上部に複数の回転操作ノブが並列して配設され、パネル面の下部に左右にスライド操作するスライド操作ノブが配設されたスライド凹部が設けられている自動車の操作パネルにおいて、回転操作ノブの周囲及びスライド凹部の上部に設けられた表示部を照明する光源を背部に配設し、各操作位置に位置させたスライド操作ノブの上端面先端部を斜め上方からスライド凹部の外方に向かって照明するように、スライド凹部の上壁に照明開口を形成するとともに光源の配設位置を位置決めし、かつスライド操作ノブの先端部の上面を、反射光が斜め下方に向かうように先端に向けて下方に傾斜した面にて構成するとともに、スライド操作ノブの先端部をスライド凹部より突出させ、照明開口を通った光はスライド凹部の下壁に当たらないようにしたものであり、パネル面の表示部を背部から照明する光源の光が照明開口を通ってスライド操作ノブの上端面先端部を直接照明するので、その反射光を乗員の視線位置から視認できてスライド操作ノブの操作位置を夜間でも容易に認識でき、また正規の操作位置に位置されたかどうかの判別も容易にでき、しかも追加部品の無い簡単な構成でスライド操作ノブを照明でき、低コストにて構成することができ、さらに照明開口を通った光はスライド凹部の下壁に当たらず、正規の操作位置にあるスライド操作ノブの先端部のみが照明され、スライド操作ノブが操作位置に位置していないときにはスライド凹部の全体に照明が当たらないので見栄えがよい。
【００１０】
また、スライド操作ノブの先端部の上面を、反射光が斜め下方に向かうように先端に向けて下方に傾斜した面にて構成しているので、斜め上方からの光でノブの上端面先端部が照明されかつ強い反射光は斜め下方に出射して乗員の目に直接入らず、乱反射光しか見ないので眩しいというようなことがない。
【００１１】
【発明の実施の形態】
以下、本発明の自動車の操作パネルの照明装置の一実施形態について、図１〜図３を参照して説明する。なお、図４を参照して説明した従来例と同一の構成要素については同一参照番号を付している。
【００１２】
１は自動車のインストルメントパネルに配設される空調操作パネルであり、合成樹脂成形品から成る本体部２の前面に半透明で所要の表示がなされた合成樹脂化粧板から成る表示板３を配置して構成されている。
【００１３】
空調操作パネル１の上部の右側部には空調温度を設定する温度設定回転操作ノブ４（図４参照）を配置する開口１４が、中央部にはファンのオンオフ及び送風強度の選択を行うファン制御回転操作ノブ５（図４参照）を配置する開口１５が、左側部にはエアの吹き出し位置を設定する送風モード設定回転操作ノブ６（図４参照）を配置する開口１６が形成され、空調操作パネル１の下部の中央部には取り入れエアの内外気の選択を行う内外気切替えスライド操作ノブ７を配置するスライド凹部１７が形成され、右側部にはエアコンスイッチ８を配置する開口１８が形成されている。
【００１４】
本体部２の各回転操作ノブ４〜６を配置する開口１４〜１６の周囲及びスライド操作ノブ７を配置するスライド凹部１７の上部には、各ノブ４〜７の設定位置を表示するそれぞれの表示部４ａ〜７ａが設けられ、それらの表示図柄に応じた光通過穴９〜１２が貫通形成されている。
【００１５】
本体部２の背部には、回転操作ノブ４、５間、及び５、６間に対応する位置に表示部４ａ〜７ａを照明する光源１３が配設されている。そして、スライド凹部１７の上壁１９には、スライド操作ノブ７を外気取り入れと内気取り入れの何れかの操作位置に位置させた時に、図３に示すように、光源１３からの光がスライド操作ノブ７の上端面先端部を斜め上方から照明するように照明開口２１が形成されるとともに、光源１３の配設位置が設定されている。また、スライド操作ノブ７の先端部はスライド凹部１７より突出させ、照明開口２１を通った光がスライド凹部１７の下壁２０に当たらないように構成されている。さらに、スライド操作ノブ７の先端部の上面は、先端に向けて下方に傾斜した傾斜面２２にて構成され、光源１３からの斜め上方からの光でスライド操作ノブ７の上端面先端部での強い反射光２３が斜め下方に出射するように構成されている。
【００１６】
以上の構成において、空調操作パネル１の上部の回転操作ノブ４、５、６の周囲、及び下部のスライド操作ノブ７の上部の各表示部４ａ〜７ａは背部に配設された光源１３からの光によって適切に照明される。
【００１７】
また、光源１３の光がスライド凹部１７の上壁１９に形成した照明開口２１を通ってスライド操作ノブ７の上端面先端部を直接照明するので、その乱反射光を乗員の視線位置から視認できてスライド操作ノブ７の操作位置を夜間でも容易に認識でき、また正規の操作位置に位置されたかどうかの判別も容易にできる。
【００１８】
また、スライド操作ノブ７の先端部がスライド凹部１７より突出して、照明開口２１を通った光がスライド凹部１７の下壁２０に当たらないようにしているので、スライド操作ノブ７の先端部のみが照明され、スライド操作ノブ７が操作位置に位置していないときにはスライド凹部１７の全体に照明が当たらないので見栄えもよい。
【００１９】
また、スライド操作ノブ７の先端部の上面を先端に向けて下方に傾斜した傾斜面２２にて構成しているので、強い反射光２３は斜め下方に出射して乗員の目に直接入らず、乱反射光しか見ないので眩しいというようなことがない。
【００２０】
また、スライド凹部１７の上壁１９に照明開口２１を開口するだけで、追加部品の無い簡単な構成であるため、低コストにて構成することができる。
【００２１】
【発明の効果】
本発明の自動車の操作パネルの照明装置によれば、以上のように回転操作ノブの周囲及びスライド凹部の上部に設けられた表示部を照明する光源を背部に配設し、各操作位置に位置させたスライド操作ノブの上端面先端部を斜め上方からスライド凹部の外方に向かって照明するように、スライド凹部の上壁に照明開口を形成するとともに光源の配設位置を位置決めし、かつスライド操作ノブの先端部の上面を、反射光が斜め下方に向かうように先端に向けて下方に傾斜した面にて構成するとともに、スライド操作ノブの先端部をスライド凹部より突出させ、照明開口を通った光はスライド凹部の下壁に当たらないようにしたので、パネル面の表示部を照明する光源の光によってスライド操作ノブの上端面先端部が直接照明され、その反射光を乗員の視線位置から視認できてスライド操作ノブの操作位置を夜間でも容易に認識でき、また正規の操作位置に位置されたかどうかの判別も容易にでき、しかも追加部品の無い簡単な構成でスライド操作ノブを照明でき、低コストにて構成することができ、さらに照明開口を通った光はスライド凹部の下壁に当たらず、正規の操作位置にあるスライド操作ノブの先端部のみが照明され、スライド操作ノブが操作位置に位置していないときにはスライド凹部の全体に照明が当たらないので見栄えがよくなる。また、スライド操作ノブの先端部の上面を、反射光が斜め下方に向かうように先端に向けて下方に傾斜した面にて構成しているので、斜め上方からの光でノブの上端面先端部が照明されかつ強い反射光は斜め下方に出射して乗員の目に直接入らず、乱反射光しか見ないので眩しいというようなことがない。
【図面の簡単な説明】
【図１】本発明の自動車の操作パネルの照明装置を空調操作パネルに適用した一実施形態における本体部の正面図である。
【図２】図１のＡ−Ａ矢視断面図である。
【図３】図１のＢ−Ｂ矢視断面図である。
【図４】従来例の自動車の空調操作パネルを示し、（ａ）は正面図、（ｂ）は（ａ）のＣ−Ｃ矢視断面図、（ｃ）はスライド操作ノブの要部の斜視図である。
【符号の説明】
１  空調操作パネル
４  温度設定回転操作ノブ
４ａ  表示部
５  ファン制御回転操作ノブ
５ａ  表示部
６  送風モード設定回転操作ノブ
６ａ  表示部
７  内外気切替えスライド操作ノブ
７ａ  表示部
１３  光源
１７  スライド凹部
１９  上壁
２１  照明開口
【図１】
0003828688.tif 000002
【図２】
0003828688.tif 000003
【図３】
0003828688.tif 000004
【図４】
0003828688.tif 000005